(57)【特許請求の範囲】
【請求項１】
粒径２〜５ｍｍの赤玉土、鹿沼土、パーライト、バーミキュライト及び軽石のうち少なくともいずれか一つを含む約３００°Ｃ以上の高熱処理された無機質成分の多孔質粒状培養土に対して、粒径０．２〜１．０ｍｍの顆粒状カルボキシメチルセルロースを０．８〜２.０ｇ／Ｌ混合したことを特徴とするカルボキシメチルセルロースを混合したプランター用保水性粒状培養土。
【発明の詳細な説明】
【技術分野】
【０００１】
本発明は、プランターで草花、野菜等の植物を栽培するのに適した無機質成分の粒子を主成分とし、カルボキシメチルセルロースを混合した保水性粒状培養土に関する。
【背景技術】
【０００２】
プランターで植物を栽培する際に用いる培養土は、通気性が少なく水捌けが悪いと根腐れを起こし易いので保肥性と共に通気性の優れた多孔質の粒状の培養土が一般的に使用されているが、粒状の培養土は散水した水が短時間に粒子間を流れ落ちて排出されてしまう性質があるため土の乾燥が速く、水不足を招きやすいという欠点がある。特に乾燥し易い夏場では毎日水遣り作業をしなければ植物が枯れてしまう場合もあり、その作業の負担は大変大きい。
この問題を解消するためには保水力を高める物質を加える必要があるが、本発明者は、保水剤としてカルボキシメチルセルロース（以下ＣＭＣと呼ぶ）に着眼した。
一方、ＣＭＣを含む粒状培養土としては、下記特許文献１に、３０％を占める主成分の草炭に無機成分の粒子を混合し、これにポリビニールアルコールやＣＭＣ等を添加することが記載されているが、ＣＭＣは草炭の繊維を粒状に結着させる目的で使用され、保水性を高める目的に使用されたものではない。
【先行技術文献】
【特許文献】
【０００３】
【特許文献１】特開２００６−２５４９０２号公報
【発明の概要】
【発明が解決しようとする課題】
【０００４】
本発明者はＣＭＣの使用について種々研究を重ねた結果、通気性には優れているが保水性が乏しい無機質成分の多孔質粒状培養土に対してＣＭＣを混合することで通気性を損なうことなく保水性を向上させ、プランターによる植物の栽培に適した粒状培養土の開発に成功したものである。
【課題を解決するための手段】
【０００５】
上記目的を達成するため、本発明のカルボキシメチルセルロースを用いたプランター用保水性粒状培養土は、粒径２〜５ｍｍの赤玉土、鹿沼土、パーライト、バーミキュライト及び軽石のうち少なくともいずれか一つを含む約３００°Ｃ以上の高熱処理された無機質成分の多孔質粒状培養土に対して、粒径０．２〜１．０ｍｍの顆粒状カルボキシメチルセルロースを０．８〜２.０ｇ／Ｌ混合したことを特徴とする。
【発明の効果】
【０００８】
本発明は、通気性と保肥性に優れるが保水性の少ない粒径２〜５ｍｍの無機質成分の多孔質粒状培養土に対して粒径０．２〜１．０ｍｍの顆粒状ＣＭＣを０．８〜２.０ｇ／Ｌ混合することで植物の成長に適するバランスの良い保水性と通気性が得られた。
ＣＭＣは水で糊状に溶解し内部に水を保持する性質があるが、もし粉体のＣＭＣを粒状培養土に添加した場合には、溶けると粒状培養土の粒子の表面に溶けて糊状となって面状に広がって培養土の粒子間の通気路の一部を塞ぎ、根の呼吸を妨げ、植物の成長に悪影響を与えるおそれがある。
これに対して、ＣＭＣが粒径０．２〜１．０ｍｍの顆粒の場合では、粒径２〜５ｍｍの粒状培養土に対して０．８〜２.０ｇ／Ｌ混合すると、顆粒が水に溶けて糊の塊状に膨潤し、顆粒よりも比較的大きな粒径２〜５ｍｍの粒状培養土の粒子の表面に点状に付着して存在し、この結果、培養土全体としての保水性が向上されると共に膜状にはならず粒子間の通気路を塞ぐことがないため高い通気性が維持され、根に多くの酸素が供給されて植物がより良好に成長できるようになる。
【０００９】
そして、前記無機質成分の多孔質粒状培養土である、赤玉土、鹿沼土、パーライト、バーミキュライト及び軽石はいずれも粒径を２〜５ｍｍに選別された粒子は材質が多孔質であり、粒子内の形成された孔内に肥料を保持できるので保肥性に優れ、又、粒子表面から孔内に一定量の水を蓄える能力がある。
これに粒径０．２〜１．０ｍｍの顆粒状のＣＭＣを混合することによって、水遣りされて溶解したＣＭＣ顆粒自体が膨潤した塊となって、その塊は粒状培養土の粒子間の通気路を塞ぐことなく内部に水を保持し、又溶けた顆粒の表面からの乾燥は粒状培養土よりも遅いためそれらの水分が多孔質粒子の孔内に保持される水に加わって培養土全体としての保水性を向上させることができる。
【００１０】
更に、約３００°Ｃに高熱処理さている粒子の培養土を使用することで病原菌や害虫の卵、雑草の種などを完全に死滅させた清潔な粒状培養土が得られ、室内にプランターを置いて植物栽培しても病気や虫が発生せず居室内の衛生が保持される。
【図面の簡単な説明】
【００１１】
【図１】ＣＭＣを使用しない培養土のみによる比較例の植物の成長状態を示す写真代用図面である。
【図２】粉状のＣＭＣを混合した培養土による比較例の植物の成長状態を示す写真代用図面である。
【図３】本発明の顆粒状のＣＭＣを混合した粒状培養土による植物の成長状態を示す写真代用図面である。
【図４】ＣＭＣを使用しない培養土のみによる比較例の植物の成長状態を示す写真代用図面である。
【図５】粉状のＣＭＣを混合した培養土による比較例の植物の成長状態を示す写真代用図面である。
【図６】本発明の顆粒状のＣＭＣを混合した粒状培養土による植物の成長状態を示す写真代用図面である。
【図７】ＣＭＣを使用しない培養土のみによる比較例の植物の成長状態を示す写真代用図面である。
【図８】粉状のＣＭＣを混合した培養土による比較例の植物の成長状態を示す写真代用図面である。
【図９】本発明の顆粒状のＣＭＣを混合した粒状培養土による植物の成長状態を示す写真代用図面である。
【図１０】ＣＭＣを使用しない培養土のみによる比較例の植物の成長状態を示す写真代用図面である。
【図１１】粉状のＣＭＣを混合した培養土による比較例の植物の成長状態を示す写真代用図面である。
【図１２】本発明の顆粒状のＣＭＣを混合した粒状培養土による植物の成長状態を示す写真代用図面である。
【図１３】ＣＭＣを使用しない培養土のみによる比較例の植物の成長状態を示す写真代用図面である。
【図１４】粉状のＣＭＣを混合した培養土による比較例の植物の成長状態を示す写真代用図面である。
【図１５】本発明の顆粒状のＣＭＣを混合した粒状培養土による植物の成長状態を示す写真代用図面である。
【図１６】ＣＭＣを使用しない培養土のみによる比較例の植物の成長状態を示す写真代用図面である。
【図１７】粉状のＣＭＣを混合した培養土による比較例の植物の成長状態を示す写真代用図面である。
【図１８】本発明の顆粒状のＣＭＣを混合した粒状培養土による植物の成長状態を示す写真代用図面である。
【図１９】本発明の顆粒状のＣＭＣを混合した粒状培養土の断面を示す拡大模式図である。
【図２０】粉状のＣＭＣを粒状の培養土に混合した比較例の断面を示す拡大模式図である。
【発明を実施するための形態】
【００１２】
本発明の実施形態を以下説明する。
本発明のベースとなる土は、粒径２〜５ｍｍの多孔質の粒子である無機質成分の粒状培養土である。
該培養土は、赤玉土、鹿沼土、パーライト、バーミキュライト及び軽石のうち少なくともいずれか一つを含み、いずれも篩目２ｍｍオーバー且つ篩目５ｍｍアンダーの２〜５ｍｍの粒子である。そして２ｍｍアンダーの微粒子や粉体は含まない。
【００１３】
前記鹿沼土は、火山性軽石が栃木県鹿沼市付近の下層に堆積した関東ローム層から採掘される。軽量多孔質の弱酸性の土であり、通気性、保水性、保肥性に優れる。
前記赤玉土は、栃木県内の関東ローム層から採出される赤土を乾燥し、塊を粉砕し篩いで粉を除去した粒子である。団粒構造をなしており、通気性、保水性、保肥性に優れる。
上記鹿沼土及び赤玉土は、微粉を除き、大粒１５〜２０ｍｍ、中粒５〜１５ｍｍ、小粒２〜５ｍｍ、微粒２ｍｍ以下に選別した商品が販売されているが本発明では小粒２〜５ｍｍを使用する。
前記軽石は、火山の噴火でできた用土であり、軽量多孔質で通気性が優れている。
前記パーライトは、黒曜石、真珠石を８００〜１０００°Ｃの高温で焼いて膨張させたものであり、非常に軽く通気性、排水性に優れる。
前記バーミキュライトは、ひる石を約１３００°Ｃの高温で焼いて元の容積の１０倍以上に膨張させたものであり、空間が多く通気性、保水性、保肥性に優れる。
【００１４】
前記赤玉土、鹿沼土、パーライト、バーミキュライト及び軽石の粒子はいずれも無機質成分の粒子であり、混合する原料には細菌、カビ菌、バクテリアなどを殆ど含まない。
このため、悪臭や虫が発生せず、清潔さが要求される室内でのプランター栽培に適するものとなる。
更に、前記赤玉土及び鹿沼土は粒子を約３００°Ｃの高熱処理した粒子を使用することで前記粒状培養土を無菌状態にすることができる。
【００１５】
そして、本発明は前記粒状培養土を１Ｌに対して粒径０．２〜１．０ｍｍの顆粒状ＣＭＣを０．８〜２.０ｇ混合する。
前記顆粒状ＣＭＣの量は０．８ｇ／Ｌ以下の場合には十分な保水効果が得られない。又、２.０ｇ／Ｌ以上混ぜると保水性が高まるが、通気性が損なわれるので植物の生育には好ましくなくなる。
【００１６】
（比較試験）
前記粒状培養土に対して前記顆粒状ＣＭＣを混合した場合の植物の成長へ影響を確認するため、上記赤玉土、鹿沼土、パーライトを配合した培養土によってプランターによる植物栽培を行う比較実験を行った。
用いた培養土には、図１９に示すように、３００°Ｃで高熱処理されている赤玉土１及び鹿沼土２、パーライト３を夫々篩目２ｍｍオーバー且つ篩目５ｍｍアンダーの２〜５ｍｍの粒子を使用する。この中に２ｍｍアンダーの微粒子や粉体は含まない。
そして、それらの混合割合を次の表１の通りとした。
【００１７】
【表１】
0005994003.tif 000002
【００１８】
本発明では、以上合計１０．６Ｌに対して、粒径０．２〜１．０ｍｍのＣＭＣの顆粒を１４ｇ均一に混合し、この場合の配合量は、粒状培養土１Ｌに対して顆粒状カルボキシメチルセルロース（ＣＭＣ）は１．３２ｇとなる量とした。
これと比較する培養土は、上記粒状培養土のみのものと、その粒状培養土１０．６Ｌに対して粉状ＣＭＣを１４ｇ均一に混合したものとした。
【００１９】
前記ＣＭＣは日本製紙株式会社の商品名サンローズのＣＭＣ（カルボキシメチルセルロースナトリウム）の顆粒タイプ（商品番号Ｆ３００ＨＧ）を使用した。
該ＣＭＣは増粘性、接着性、保水性、フィルム形成性等の特性があり、食品添加物としても使用されているものである。
前記ＣＭＣには、顆粒タイプ（商品名サンローズの商品番号Ｆ３００ＨＧ）と粉体タイプ（商品名サンローズの商品番号Ｆ３５０ＨＣ-４）とがあり、顆粒タイプと粉体タイプの物性は次の表２の通り異なっている。
【００２０】
【表２】
0005994003.tif 000003
【００２１】
特に粘度については顆粒タイプの値が２０００に対して粉体タイプの値が３５４５と約６０％大きい。
本発明では粒状培養土に対して前記顆粒タイプのＣＭＣ（商品番号Ｆ３００ＨＧ）を０．８〜２.０ｇ/Ｌの割合で混合するが、植物をプランター栽培する際の水遣りで、図１９に示すように、その水を含んだ顆粒状のＣＭＣは糊状に溶解して膨潤したＣＭＣ４の塊となる。
【００２２】
（比較試験１）
実際のプランター栽培に際しては上記赤玉土、鹿沼土及びパーライトを混合した粒状培養土に、元肥料や追肥の如き肥料分が栄養源として添加されるが、それらは栽培植物に適した肥料が選択され、必要量混合されることとなる。
本比較試験では上記粒状培養土に、粒状の活性剤（腐植酸）を２．０Ｌ混合し、更に化成肥料の元肥８４ｇを加えた。
上配合で腐植酸と元肥を混ぜた粒状培養土（商品番号Ｆ３００ＨＧの顆粒状ＣＭＣを添加）と、基礎となる粒状培養土は同じであるがＣＭＣの顆粒は加えず粉体タイプを同量混合した粒状培養土（Ｆ３５０ＨＣ-４添加）とを用意して、これらの粒状培養土とＣＭＣを全く混合しない粒状培養土でペチュニアをプランター栽培する試験を行った。
この試験では３月１０日に、プランターに上記配合割合の粒状培養土を４Ｌ入れて、ペチュニアを１株づつ植え付けた。
苗が根付くまでの５週間は１日１回の水遣りを行なった。そして、その後４月１５日から水切れまでの期間を観察した。
その結果は下記表３に示す通りである。
【００２３】
【表３】
0005994003.tif 000004
【００２４】
上記表３中の３月１０日時点の培養土のみによるプランター内のペチュニアの状態を図１で示し、粉状のＦ３５０ＨＣ-４を添加したペチュニアの状態を図２で示し、顆粒のＦ３００ＨＧ添加したペチュニアの状態を図３で示す。
又、３月２５日時点の培養土のみによるプランター内のペチュニアの状態を図４で示し、粉状のＦ３５０ＨＣ-４を添加したペチュニアの状態を図５で示し、顆粒のＦ３００ＨＧ添加したペチュニアの状態を図６で示す。
更に、４月６日時点の培養土のみによるプランター内のペチュニアの状態を図７で示し、粉状のＦ３５０ＨＣ-４を添加したペチュニアの状態を図８で示し、顆粒のＦ３００ＨＧ添加したペチュニアの状態を図９で示す。
【００２５】
この比較実験の結果は、表３に示したように、４月６日には草丈（ｃｍ）株幅（ｃｍ）花数（個）共にＣＭＣを加えない粒状培養土よりは粉状及び顆粒状のＣＭＣの結果が優れていたが、粉状よりも顆粒状のＣＭＣを加えた培養土の方が良い結果が得られた。特に花数では粉状ＣＭＣが２６個に対して顆粒状ＣＭＣが３２個と格段に多かった。
そして、花が咲いた４月６日のペチュニアの写真である図７、図８、図９を対比して判るように、単にペチュニアの花の個数だけではなく、顆粒のＦ３００ＨＧ添加は粉のＦ３５０ＨＣ-４添加よりも株幅及び草丈も大きく、全体が立派に且つ力強く成長した。
その後、表３に示すように、４月１５日、４月２４日、５月１日の潅水試験ではペチュニアの萎れる様子から粉のＦ３５０ＨＣ-４を添加した場合には顆粒のＦ３００ＨＧよりも萎れるのが遅れ、より保水性が高いことが分かった。
しかし、試験結果は、４月６日時点の状態に現れたように、ペチュニアの成長には保水性は高い粉のＦ３５０ＨＣ-４が必ずしも最高に成長することにはならなかった。
【００２６】
（比較試験２）
上記比較試験１と同様の３種類の培養土で、小松菜をプランターで栽培する試験を行った。その結果は下記表４に示す通りである。
この試験では４月２５日にプランターに培養土を４Ｌ入れて、小松菜の種６粒を播き１日１回の水遣りを行なった。経過を観察した結果は下記表１に示す通りである。
【００２７】
【表４】
0005994003.tif 000005
【００２８】
上記表３中の５月１１日時点の培養土のみによるプランター内の小松菜の状態を図１０で示し、粉状のＦ３５０ＨＣ-４を添加した小松菜の状態を図１１で示し、顆粒のＦ３００ＨＧ添加した小松菜の状態を図１２で示す。
５月１８日時点の培養土のみによるプランター内の小松菜の状態を図１３で示し、粉状のＦ３５０ＨＣ-４を添加した小松菜の状態を図１４で示し、顆粒のＦ３００ＨＧ添加した小松菜の状態を図１５で示す。
５月２２日時点の培養土のみによるプランター内の小松菜の状態を図１６で示し、粉状のＦ３５０ＨＣ-４を添加した小松菜の状態を図１７で示し、顆粒のＦ３００ＨＧ添加した小松菜の状態を図１８で示す。
【００２９】
この試験では、草丈（ｃｍ）葉幅（ｃｍ）収量（ｇ）共にＣＭＣを加えない粒状培養土よりは粉状及び顆粒状のＣＭＣの結果が優れていたが、粉状よりも顆粒状のＣＭＣを加えた培養土の方が良い結果が得られた。特に収量では粉状ＣＭＣが３１１ｇに対して顆粒状ＣＭＣは３５０ｇと格段に良好な結果が得られた。
そして、５月２２日時点の小松菜は、図１６、図１７、図１８を対比して判るように、単に収量が大きいだけではなく、目視観察すると顆粒のＦ３００ＨＧ添加は粉のＦ３５０ＨＣ-４添加よりも活き活きした状態に成長した。
【００３０】
上記比較試験１、２では、いずれも粉状よりは顆粒状ＣＭＣを添加した場合の方が良い結果が得られた。
特に、試験開始初期には差はあまり見られなかったが、期間経過に伴って成長の差が徐々に大きくなっており、これは、植物の葉の成長に伴って根も太く長く成長して行き、根が培養土の影響を強く受けたからである。
植物の根からの養分吸収に水の存在は欠かせないが、根の周囲の通気性の影響が大きく、水があっても空気の流通がないと水や養分の吸収ができずに根腐れや根枯れを起こす。このため適度に通気性がないと植物は良好には育たない。
保水性を高めるためにＣＭＣを使用するに当たって、もし粉状のものを使用すると、水で膜状に溶けて粒子間の保水性をより向上させたことで逆に通気性が減少してしまい、さらにその膜は植物の根を覆って呼吸を妨げるとで、成長に悪影響を及ぼし、その結果、上記比較試験の如く、植物の根の成長とともにその悪影響が大きくなるおそれがある。
これに対し、本発明の粒径２〜５ｍｍの多孔質の粒子である無機質成分の粒状培養土に対して粒径０．２〜１．０ｍｍのＣＭＣの顆粒を０．８〜２.０ｇ/Ｌの割合で混合した培養土を使用することで、そのＣＭＣは顆粒内部に潅水された水を含むことで保水性を向上させると共に水に溶けた顆粒が膨潤して塊状となり、粒状培養土の粒子間の空隙を塞ぐことなく適度な通気性を保持するため、根の成長とともにその空隙に入り込んだ根が活発に呼吸しつつ水分と養分を吸収して植物の葉や花を成長させ、その結果、上記比較試験の如くペチュニアでは綺麗な花を多く咲かせ、小松菜では大きく厚い葉に成長させて大きな収量を得るという、大変良好な結果が得られたものである。
【００３１】
上記の如く本発明が植物の成長により良い結果が得られた理由は次の如くに推察される。
粒径２〜５ｍｍの多孔質の無機質成分の粒子である赤玉土、鹿沼土、パーライトはプランターに入れると、相互に粘着や付着などの結合することはなく、粒子内の形成された孔内に肥料を保持できるので保肥性に優れ、又、粒子表面から孔内に一定量の水を蓄える能力がある。
水遣りで多孔質の形成された孔に水が吸水され、粒子を一旦濡らしたらその他の水は粒子間をストレートに通過する。続けて水を多く撒いても一旦水を吸った粒子はそれ以上水を吸わないので余分な水は殆どそのまま流れ落ちてしまう。
その後放置すると通気性が良いので、粒子表面が通気路内に晒されて水が蒸発し乾燥が速やかに進んでプランター内の粒子は短時間で乾燥状態となる。
この無機質成分の粒状培養土にＣＭＣを混ぜると、粉状及び顆粒状のＣＭＣはいずれもプランターに入れる前の乾燥状態では単に培養土の粒子の中にＣＭＣが混じり合っているに過ぎない。  
【００３２】
そこで、ＣＭＣを混合した粒状培養土をプランターに入れて植物を植え付け、水遣りをすると、粉状のＣＭＣは水に溶けると強い粘性のある糊液となり、図２０に示すように、膜状のＣＭＣ５となって、赤玉土１、鹿沼土２、パーライト３に粒状培養土の表面に広がって、高い粘度で粒子同士を結合するように付着する。
そして、そのＣＭＣ５の膜は多孔質の無機質成分の粒子の孔を塞ぎ、粒子に吸水された水が孔内部に閉じ込められ、又粒子間に広がった膜が粒子の隙間に形成される通気路７を塞いでしまうため通気性が阻害され、その結果、保水性が高められるものと考えられる。
そして、粒状培養土の粒子間の通気路が閉鎖されると、粒子間に成長して伸びた植物の根の呼吸が妨げられ、粒状培養土の孔空間内に蓄えられた肥料中の栄養分が根から吸収されなくなって植物の成長が阻害されることとなる。
【００３３】
これに対して、粒径０．２〜１．０ｍｍの顆粒状のＣＭＣを０．８〜２.０ｇ／Ｌ混合した粒状培養土をプランターに入れて植物を植え付けた場合、図１９に示すように、水遣りするとＣＭＣの顆粒は、周囲が水６で糊状に溶けて膨潤し塊状のＣＭＣ４となって、赤玉土１、鹿沼土２、パーライト３の粒子の間に挟まってそれらの粒子の表面に付着するか又は粒子同士を繋げるように付着する。
そして、ＣＭＣ４の塊の内部に水を含むことで保水性が適度に向上し、同時に、水を保持したＣＭＣ４は培養土の粒子表面に塊として付着するので通気路７を塞ぐことなく通気性は良好に保持されるものと考えられる。
この結果、粒子間に伸びた植物の根は活発に呼吸して肥料中の栄養分を有効に吸収し、大きく成長することとなる
【００３４】
このような粒子間の通気性に関し、顆粒状ＣＭＣは、粒径０．２未満であると、水で膨潤してＣＭＣの塊が崩れ、上記粉体のＣＭＣに近くなって膜状になってしまい通気性が損なわれるので好ましくなく、又１．０ｍｍを超えると粒径２〜５ｍｍの粒状培養土の粒子間の空隙に挟まったＣＭＣがその空隙内に大きく膨潤して空隙を埋めてしまうため通気性が損なわれるので好ましくない。
又、ＣＭＣの混合量は０.８／Ｌ未満であると適度な保水性の向上が得られず、又２.０ｇ／Ｌを超える量であると粒子間の空隙に多量のＣＭＣが入って、水で膨潤した多量のＣＭＣで空隙が埋められて通気性が損なわれてしまうため好ましくない。
【００３５】
そして、前記粒状培養土は、その粒径が２ｍｍ未満であると、粒子間の空隙が小さく成り、その空隙間で粒径０．２〜１．０ｍｍの顆粒状ＣＭＣの粒子が水を吸って糊状に膨潤したとき小さい空隙が膨潤した塊で埋られてしまい通気性が大幅に低下してしまうので好ましくない。
又、前記粒状培養土の粒径が５ｍｍを越える径であると粒子間に形成される空隙が大きくなってその中を水が留まることなくプランター内の上層部では水が顆粒状ＣＭＣに供給されないうちに落下してしまい適度な保水性が得られず、プランター内の低層部ではプランターの受け皿に水溜が発生して過度の水が保存されるためプランターの底側からの通気性が損なわれてしまうので好ましくない。
【００３６】
従って本発明は、ＣＭＣの顆粒の径、粒状培養土の粒径及び粒状培養土に対するＣＭＣの配合量を上記の如き好ましくない範囲にあるものを除き、それらをＣＭＣの顆粒の径を０．２〜１．０ｍｍとし、粒状培養土の粒径を２〜５ｍｍとし、且つ粒状培養土に対するＣＭＣの配合量を０．８〜２.０ｇ／Ｌとする好ましい範囲において使用することで、該粒状培養土をプランターに入れて植物を植え付けた場合、潅水によりＣＭＣの顆粒は膨潤して塊状となってその塊内部に水を含むことで粒状培養土特有の乾燥が速過ぎるという欠点を改善して保水性を向上させ、同時に、水を保持したＣＭＣは培養土の粒子表面に塊として付着するので粒状培養土の粒子間に形成される通気路を塞ぐことなく適度な通気性を保持させる。
そしてその結果、粒状培養土の粒子間の通気路に植物の根は活発に呼吸し長く成長し、粒状培養土とＣＭＣ内に蓄えられた水分と肥料中の栄養分を有効に吸収して茎や葉や花を大きく多数成長させることとなる。
【産業上の利用可能性】
【００３７】
本発明は、無機成分を主とした肥料分を含まない粒状培養土であるが、栽培する植物の種類に応じて最適な調合の粒子状の栄養素を混合した粒状培養土に対しても利用することが可能である。
【符号の説明】
【００３８】
１  赤玉土、
２  鹿沼土
３  パーライト
４  塊状のＣＭＣ
５  膜状のＣＭＣ
６  水
７  通気路
【要約】
【課題】通気性には優れているが保水性が乏しい無機質成分の多孔質粒状培養土にＣＭＣを混合することで通気性を損なうことなく保水性を向上させ、プランターによる植物の栽培に適した粒状培養土を提供する。
【解決手段】粒径２〜５ｍｍに選別した赤玉土１、鹿沼土２及びパーライト３を、赤玉土１が８.９Ｌ、鹿沼土２が１.０Ｌ、パーライト３が０.７Ｌの割合で均一に混合した粒状の培養土に対して、粒径０．２〜１．０ｍｍのカルボキシメチルセルロースの顆粒を１４ｇ混合して成り、プランターでの植物栽培において、水遣りの水で溶けて膨潤した塊状のカルボキシメチルセルロース４が粒状の培養土の通気性を損なわずに保水性を向上させ、植物を大きく成長させる。
【選択図】  図１９【図１９】
0005994003.tif 000006
【図２０】
0005994003.tif 000007
【図１】
0005994003.tif 000008
【図２】
0005994003.tif 000009
【図３】
0005994003.tif 000010
【図４】
0005994003.tif 000011
【図５】
0005994003.tif 000012
【図６】
0005994003.tif 000013
【図７】
0005994003.tif 000014
【図８】
0005994003.tif 000015
【図９】
0005994003.tif 000016
【図１０】
0005994003.tif 000017
【図１１】
0005994003.tif 000018
【図１２】
0005994003.tif 000019
【図１３】
0005994003.tif 000020
【図１４】
0005994003.tif 000021
【図１５】
0005994003.tif 000022
【図１６】
0005994003.tif 000023
【図１７】
0005994003.tif 000024
【図１８】
0005994003.tif 000025